(57)【要約】      （修正有）【課題】室外機ユニットの送風ファンの翼面と乱れた気流との衝突を抑制し、送風ファンの回転数と羽枚数との積を基本周波数とする強い離散周波数音（いわゆるＮＺ音）を効果的に低減することで、聴感上の不快感を可及的に低減すること。【解決手段】  断面方形の室外機ケーシング１Ａ，１Ｂ内下部に熱交換器２、同上部に送風ファン４を有するとともに、該ファン４の外周部および上流側に、ケーシング１Ａ，１Ｂの側壁部の一部が近接して配置され、しかも、ファン４上流側のケーシングの側壁部の一面以上が閉じられている構成の室外機ユニットにおいて、上記ケーシング１Ａ，１Ｂ内のコーナー部に、吸込み気流をファン４の空気吸込み口方向に滑らかに導く整流ガイド１０Ａ，を設け、ファン４翼面と乱れた気流との衝突を抑制し、離散周波数音（ＮＺ）を低減する。【選択図】        図４
2006038312.tif 000002
【特許請求の範囲】
【請求項１】
断面方形の室外機ケーシング（１Ａ），（１Ｂ）内下部に熱交換器（２）、同室外機ケーシング（１Ａ），（１Ｂ）内上部に送風ファン（４）を有するとともに、該送風ファン（４）の外周部および上流側に、上記室外機ケーシング（１Ａ），（１Ｂ）の側壁部の一部が近接して配置され、しかも、上記送風ファン（４）上流側の室外機ケーシング（１Ａ），（１Ｂ）の側壁部の一面以上が閉じられている構成の室外機ユニットにおいて、上記室外機ケーシング（１Ａ），（１Ｂ）内のコーナー部（Ａ，Ｃ）、（Ｄ，Ｂ）に、熱交換器（２）からの吸込み気流を送風ファン（４）の空気吸込み口方向に滑らかに導く整流ガイド（１０Ａ），（１０Ｃ），（１０）を設けたことを特徴とする空気調和機用室外機ユニット。
【請求項２】
整流ガイド（１０Ａ），（１０Ｃ）は板状のもので、室外機ケーシング（１Ａ），（１Ｂ）内の送風ファン（４）の回転方向に対して、前方側が相対的に吸込みやすく、後方側が相対的に吸込みにくくなるコーナー部（Ａ，Ｃ）、（Ｄ，Ｂ）にのみ設けられていることを特徴とする請求項１記載の空気調和機用室外機ユニット。
【請求項３】
整流ガイド（１０Ａ），（１０Ｃ）は、熱交換器（２）の上端部にあって熱交換器（２）と室外機ケーシング（１Ａ），（１Ｂ）の側壁との間をシールするシールプレート（１２）の一部を延設することによって形成されていることを特徴とする請求項２記載の空気調和機用室外機ユニット。
【請求項４】
整流ガイド（１０）は、室外機ケーシング（１Ａ），（１Ｂ）内の送風ファン（４）の空気吸込口８ａの開口面周囲の全体を仕切る一枚のプレートよりなり、熱交換器（２）のシールプレートを兼ねて形成されていることを特徴とする請求項１記載の空気調和機用室外機ユニット。
【発明の詳細な説明】
【技術分野】
【０００１】
本願発明は、本願発明は、空気調和機用室外機ユニットの構造に関するものである。
【背景技術】
【０００２】
従来から空気調和機用の室外機ユニットとして、例えば上部側に送風ファンおよびファンケーシングよりなる送風ユニットがあり、下部側に水平断面形状が略コの字形の熱交換器と該熱交換器と対向する面側の制御ボックス、それらを収納する室外機本体ケーシングよりなる本体ユニットがある上吹き出しタイプの室外機ユニットが存在する。
【０００３】
そのような室外機ユニットの構成の一例を、例えば図９〜図１２に示す。
【０００４】
先ず図中符号１は、同室外機ユニットである。この室外機ユニット１の室外機ケーシングは、熱交換器２および各種機器３ａ〜３ｃが設置される下部側本体ケーシング１Ａと送風ファン４が設置される上部側ファンケーシング１Ｂとからなっている。そして、構造上、その中心となる下部側本体ケーシング１Ａは、全体として左右方向に所定寸法長く、前後方向に所定寸法短かい断面長方形状をなし、上下方向に所定の高さを有する角筒状のものとなっている。
【０００５】
そして、この下部側本体ケーシング１Ａには必要な個所に必要な加工が施されて、例えば後壁面側の略全体には第１の空気吸込用開口部１ａが、また左右両壁面側の後壁面寄り略２／３部分には第２，第３の空気吸込用開口部１ｂ，１ｃが、さらに前壁面側の一部にはメンテナンス用開口部１ｄがそれぞれ設けられている。上記第１，第２，第３の空気吸込用開口部１ａ，１ｂ，１ｃは、それら全体として、後述する熱交換器２の水平断面形状に対応して水平断面形状がコの字形（以下、単に断面コの字形という）をなすものとなっている。
【０００６】
そして、同全体として断面コの字形をなす後壁面側第１の空気吸込用開口部１ａおよび左右両壁面側第２，第３の空気吸込用開口部１ｂ，１ｃには、例えば図示のように、上記下部側本体ケーシング１Ａ内において、その底板部上から上記上方側ファンケーシング１Ｂとの境界線部分まで延びて設置された水平断面形状がコの字形（以下、単に断面コの字形という）の熱交換器２の主たる熱交換器部である後壁面側第１，従たる熱交換器部である左右両壁面側第２，第３の各熱交換器部２ａ，２ｂ，２ｃの通風性のある熱交換面が臨まされている。
【０００７】
この熱交換器２は、上記各熱交換器部２ａ，２ｂ，２ｃが相互に一体の例えばプレートフィン型の空気熱交換器により構成されており、上記左側壁面側第３の空気吸込用開口部１ｃに対応する左側壁面側第３の熱交換器部２ｃと後壁面側第１の空気吸込用開口部１ａに対応する後壁面側第１の熱交換器部２ａとは上記下部側本体ケーシング１Ａのコーナ角（９０°）に対応したコーナ角θ1＝略９０°の角度で曲成されているが、他方第２の空気吸込用開口部１ｂに対応する第３の熱交換器部２ｂは同後壁面側第１の熱交換器部２ａに対してコーナ角θ2＝１００°〜１１０°の大きな角度で外側に広げて曲成されている。これにより、当該室外機ユニット１の右壁面側を建物の壁面側に接して据え付けたり、２台隣接して設置したりしたような時にも、それら相互の間に有効な空気吸込スペースを取ることができるようにしている。
【０００８】
一方、上記前壁面側メンテナンス用の開口部１ｄには、必要な開閉扉７ａが設けられ、同前壁面部は、全く空気吸込用の開口部がない盲壁（閉壁）構造となっている。
【０００９】
また、上記下部側本体ケーシング１Ａ内の上記底板部の前面部側上方には、例えば図示のように、圧縮機やアキュムレータ等の各種機器３ａ〜３ｃが設置される機器室およびサービススペース６が設けられており、同機器室およびサービススペース６の風が通りやすく冷却効果の高い上方部には、その前壁面側左右方向右寄りに位置して所定幅左右方向に延びる所定奥行幅の制御ボックス７が、上記メンテナンス用の開口部１ｄを介して前方側外部から点検操作しやすいようにスペースファクター良く設置されている。
【００１０】
そして、以上のようにして後壁面側（長辺部側）、左右両壁面側（短辺部側）の３面に亘って同じく長辺部、短辺部を有する断面コの字形の熱交換器２が設けられ、同断面コの字形の熱交換器２（長辺部２ａ，短辺部２ｂ，短辺部２ｃ）および各種機器３ａ〜３ｃが設けられた上記下部側本体ケーシング１Ａの上部には、さらに図９および図１０のような状態で、高さは低いが、やはり断面長形状の角筒状の上部側ファンケーシング１Ｂが、例えば嵌合等の方法により一体に設けられており、同ファンケーシング１Ｂ内中央のファン設置部には、所定のファン支持手段を介して例えばプロペラファン等の軸流型の送風ファン４が図示の如く上下方向に延びて設置されている。
【００１１】
なお、図中の符号４ａは当該送風ファン４のハブ、４ｂは同送風ファン４の複数枚の羽根（翼）、９は同送風ファン４のファンモータ、９ａは同ファンモータ９の送風ファン回転駆動軸を示している。
【００１２】
そして、上記のように、熱交換器２および各種機器３ａ〜３ｃが設置される断面長方形状の下部側本体ケーシング１Ａ部分と送風ファン４が設置される上記上部側ファンケーシング１Ｂ部分とは、略上記ファンモータ９部分を基準として下方と上方に区分されており、上記上部側ファンケーシング１Ｂも、上述のごとく、その下部から上方に向けて、その水平断面形状が同様の長方形状のものとなっている。そして、その上部部分の左右方向中央位置内側には略円筒形状のベルマウス８が、例えば図９、図１１および図１２に示すように、前後方向の幅一ぱいに設けられている。そして、同状態において、上記送風ファン４は、当該ベルマウス８の内側に、その羽根車の羽根４ｂ，４ｂ・・・の上部側部分を対応させて設けられ、下部側はベルマウス８の空気吸込口８ａよりも所定寸法以上下方に露出している。
【００１３】
そして、それによって、上記ベルマウス８を有する上記上部側ファンケーシング１Ｂの外径を、上記下部側本体ケーシング１Ａの短辺部の幅と同等の径まで拡大することによって、上記設置される送風ファン４の羽根車の外径を可及的に大きくすることにより、上記送風ファン４の羽根車が、上記断面コの字形の熱交換器２の上端面よりも上方に位置し、例えば図３に示すように、上記断面コの字形の熱交換器２の上端部まで上下方向に重なったクロスオーバー状態で設置されている。そして、それによって、可及的に大きな径の羽根車を採用できるようにして十分に送風性能のアップを実現しながらも、なお有効に室外機ユニット１本体の小型、コンパクト化が図られるようにしている。
【００１４】
また、その場合において、上記ベルマウス８は、その空気吹出口８ｂ側および空気吸込口８ａ側共に所定の曲率半径の断面形状となっていて、当該ベルマウス８部分への最適な空気の進入角とベルマウス８部分からの最適な空気の導出角とが実現されている。
【００１５】
しかし、該空気調和機用室外機ユニット１では、そのように構成した結果、図１１および図１２からも明らかなように、上記送風ファン４の外周部および上流側に、上記上部側ファンケーシング１Ｂの前壁面および後壁面が近接して配置されることになり、しかも、上記前壁面は空気吸込用の開口がない盲壁（閉壁）構造に形成されていることから、上記送風ファン４の上流側には、その後壁面側と左右両壁面側の３面にしか空気の吸込み口が無い状態となっている。
【００１６】
したがって、例えば図１２に示すように、上記送風ファン４の回転方向Ｒの前方側に空気吸込み用開口部１ｂ、後方側に閉壁面（前面壁：前板）がある場合、送風ファン４上流の空気吸込み面有／無の境界となる筺体コーナー部Ａにおいて、羽根４ｂ，４ｂ・・・が通過した直後に強い負圧が発生して周囲に気流が発生し、上記送風ファン４の回転方向Ｒの前方側から後方側に向けて、熱交換器２の右壁面側熱交換部２ｂから吸込まれた気流が流れてくる（図１２の矢線参照）。この気流は、上記強い負圧によって縦渦上の強い旋回流となり、ファンケーシング１Ｂの側壁面の内の空気吸込み口がない前壁面に一部が衝突し、その後、ベルマウス８を介して上記送風ファン４の羽根４ｂ，４ｂ・・・間に吸込まれる。
【００１７】
そして、この強い旋回流と上記送風ファン４の羽根４ｂ，４ｂ・・・の翼面が衝突して、同送風ファン４の羽根枚数と回転数の積を基本周波数とする離散周波数音、いわゆるＮＺ音が増大し、聴感上不快感をもたらすという問題が生じる。
【００１８】
そこで、このような問題に対し、例えば従来は、上記上吹き出し型の空調用室外機の筺体の上方側コーナー部にできる空隙部に、三角柱状の上下方向に長いコーナーガイドを設置し、静音化を図る方法が採用されていた（例えば特許文献１参照）。
【００１９】
【特許文献１】特許第３４３３０８５号公報（第１−４頁、図１−５）
【発明の開示】
【発明が解決しようとする課題】
【００２０】
しかし、このコーナーガイドは、筺体下部から上部に上昇し、負圧部に向かう気流が、コーナー部の空隙部分で停滞するのを防止し、当該上昇気流に対して筺体面に沿った旋回流れ与えることにより、ファン吸込み部の周方向の偏流を改善させることを狙ったものにすぎない。
【００２１】
したがって、上述の如く、送風ファン４の空気吸込み面よりも上方側（天板との間）の空間に入り込んで、送風ファン４の羽根と強い干渉を起こす現象を抑制することはできない、したがって、騒音のオーバーオールでの急上昇は抑制できても、羽根１回転毎に旋回流とファン翼面とが衝突して発生する、上述のような離散周波数音（ＮＺ音）を抑制することは難しく、聴感上の不快感をなくすことは困難であった。
【００２２】
本願発明は、このような問題を解決するためになされたもので、上記のような室外機ケーシングの４箇所のコーナー部のうち、例えば送風ファンの回転方向に対して、前方側が相対的に吸込みやすく、後方側が相対的に吸込みにくい箇所に、例えば熱交換器の上端部から送風ファンの空気吸込口に向かって延びた整流ガイドを設置し、熱交換器を通過し、送風ファンに対向して縦渦状となって送風ファンに吸込まれる強い縦方向の旋回気流を滑らかに流すようにした空気調和機用室外機ユニットを提供することを目的とするものである。
【課題を解決するための手段】
【００２３】
本願発明は、上記の目的を達成するために、次のような課題解決手段を備えて構成されている。
【００２４】
（１）  第１の課題解決手段
この発明の第１の課題解決手段は、断面方形の室外機ケーシング１Ａ，１Ｂ内下部に熱交換器２、同室外機ケーシング１Ａ，１Ｂ内上部に送風ファン４を有するとともに、該送風ファン４の外周部および上流側に、上記室外機ケーシング１Ａ，１Ｂの側壁部の一部が近接して配置され、しかも、上記送風ファン４上流側の室外機ケーシング１Ａ，１Ｂの側壁部の一面以上が閉じられている構成の室外機ユニットにおいて、上記室外機ケーシング１Ａ，１Ｂ内のコーナー部Ａ，Ｃ、Ｄ，Ｂに、熱交換器２からの吸込み気流を送風ファン４の空気吸込み口方向に滑らかに導く整流ガイド１０Ａ，１０Ｃ，１０を設けたことを特徴としている。
【００２５】
断面方形の室外機ケーシング１Ａ，１Ｂ内下部に熱交換器２、同室外機ケーシング１Ａ，１Ｂ内上部に送風ファン４を有するとともに、該送風ファン４の外周部および上流側に、上記のような室外機ケーシング１Ａ，１Ｂの側壁部の一部が近接して配置され、しかも、上記送風ファン４上流側の室外機ケーシング１Ａ，１Ｂの側壁部の一面以上が閉じられており、上記送風ファン４の回転方向の前方側に空気吸込み面、後方側に閉壁面がある室外機ユニットの構成の場合、上記送風ファン４の上流側の空気吸込み面有／無の境界となるケーシング１Ａ，１Ｂ内コーナー部において、送風ファン４の回転方向前方から後方に向かって縦渦上の強い旋回流が発生し、それが送風ファン４の翼間に吸い込まれて行くようになる。
【００２６】
そして、この旋回流に送風ファン４の翼面が衝突し、送風ファン４の羽根枚数と回転数の積を基本周波数とする離散周波数音、すなわちＮＺ音が増大し、聴感上不快感をもたらす。
【００２７】
そこで、少なくとも上記縦方向の旋回流が発生する室外機ケーシング１Ａ，１Ｂ内のコーナー部Ａ，Ｃ又はＤ，Ｂに対して、上記熱交換器２からの吸込み気流を送風ファン４の空気吸込み口方向に、滑らかに導く整流ガイド１０Ａ，１０Ｂ，１０を設ける。
【００２８】
そのようにすると、下方側の熱交換器２を通過し、上方側の送風ファン４に対向して縦渦状となって当該送風ファン４内に吸込まれる気流が、同整流ガイド１０Ａ，１０Ｂ，１０に沿って滑らかに流れるようになる。そのため翼面、特にベルマウス等の空気吸込用ガイド部材で囲われていない上流側の翼面と乱れた気流との衝突が抑制され、送風ファン４の回転数と羽根枚数の積を基本周波数とする強い離散周波数音（いわゆるＮＺ音）が低減され、聴感上の不快感を可及的に低減することができる。
【００２９】
（２）  第２の課題解決手段
この発明の第２の課題解決手段は、上記第１の課題解決手段の構成において、整流ガイド１０Ａ，１０Ｃは板状のもので、室外機ケーシング１Ａ，１Ｂ内の送風ファン４の回転方向に対して、前方側が相対的に吸込みやすく、後方側が相対的に吸込みにくくなるコーナー部Ａ，Ｃ、Ｄ，Ｂにのみ設けられていることを特徴としている。
【００３０】
このような構成によると、上記強い縦旋回流が発生する室外機ケーシング１Ａ，１Ｂ内の送風ファン４の回転方向に対して、前方側が相対的に吸込みやすく、後方側が相対的に吸込みにくくなるコーナー部Ａ，Ｃ又はＤ，Ｂにのみ設けられた板状の整流ガイド１０Ａ，１０Ｃによって、熱交換器２を通過した後、送風ファン４に対向して縦渦状となって送風ファン４内に吸い込まれる気流が整流され、ガイドされて滑らかに流れるようになる。そのため翼面、特にベルマウス等空気吸込用のガイド部材で囲われていない送風ファン４上流側の翼面と乱れた気流との衝突が効果的に抑制され、送風ファン４の回転数と羽根枚数の積を基本周波数とする強い離散周波数音（ＮＺ）が低減され、聴感上の不快感を可及的に低減することができる。
【００３１】
（３）  第３の課題解決手段
この発明の第３の課題解決手段は、上記第２の課題解決手段の構成において、整流ガイド１０Ａ，１０Ｃは、熱交換器２の上端部にあって熱交換器２と室外機ケーシング１Ａ，１Ｂ側壁との間をシールするシールプレート１２の一部を延設することによって形成されていることを特徴としている。
【００３２】
上記強い縦旋回流が発生する室外機ケーシング１Ａ，１Ｂ内のコーナー部に設けられる板状の整流ガイド１０Ａ，１０Ｃは、それ自体別個独立の板材によって形成することもできるが、この発明のように、熱交換器２の上端部にあって、熱交換器２と室外機ケーシング１Ａ，１Ｂの側壁との間をシールするシールプレート１２の一部を利用して形成するようにしてもよい。
【００３３】
そのようにした場合、別部材を準備する場合に比べて、加工も簡単で、取付けも容易である。
【００３４】
（４）  第４の課題解決手段
この発明の第４の課題解決手段は、上記第１の課題解決手段の構成において、整流ガイド１０は、室外機ケーシング１Ａ，１Ｂ内の送風ファン４の空気吸込口８ａの開口面周囲の全体を仕切る一枚のプレートよりなり、熱交換器２のシールプレートを兼ねて形成されていることを特徴としている。
【００３５】
上記縦渦の整流ガイド作用を果たす整流ガイド１０は、上述のように必要なコーナー部Ａ，Ｃ又はＤ，Ｂに個別に設けるようにすると、加工工数とともに取付工数が増え、取付けにも手間がかかる。
【００３６】
そこで、この発明では、上記整流ガイド１０を、室外機ケーシング１Ａ，１Ｂ内の例えばベルマウス等送風ファン４の空気吸込口８ａの開口面周囲の全体を仕切ることができる一枚のプレートにより形成し、同プレートにより、上述した強い縦旋回流が発生する室外機ケーシング１Ａ，１Ｂ内のコーナー部Ａ，Ｃ又はＤ，Ｂにおける、熱交換器２からの吸込み気流を同空気吸込口８ａ方向に滑らかに導く一方、その外周囲部分で、熱交換器２の上端部において熱交換器２と室外機ケーシング１Ａ，１Ｂの側壁との間をシールするシールプレートを兼ねさせるようにする。
【００３７】
このようにすると、ベルマウス等送風ファン４の空気吸込口８ａ周囲全域の気流が、よりスムーズに送風ファン４内に吸込まれるようになる一方、従来のような熱交換器２専用のシールプレート１２も不要になる。
【発明の効果】
【００３８】
以上の結果、本願発明によれば、従来の構成と異なり、熱交換器を通過し、送風ファンに対向して縦渦状となって送風ファン内に吸込まれる気流が、整流ガイドに沿って滑らかに流れるため、翼面（特にベルマウスとうの空気吸込用ガイド部材で囲われていない上流側の翼面）と乱れた気流との衝突が抑制され、送風ファンの回転数と羽根枚数との積を基本周波数とする強い離散周波数音（いわゆるＮＺ音）を効果的に低減し、聴感上の不快感を可及的に低減することができる。
【発明を実施するための最良の形態】
【００３９】
（最良の実施の形態１）
先ず図１〜図５は、本願発明の最良の実施の形態１に係る空気調和機用室外機ユニットの構成を示している。
【００４０】
図中符号１は、同室外機ユニットを示している。この室外機ユニット１の室外機ケーシングは、熱交換器２および各種機器３ａ〜３ｃが設置される下部側本体ケーシング１Ａと送風ファン４が設置される上部側ファンケーシング１Ｂとからなっている。そして、構造上、その中心となる下部側本体ケーシング１Ａは、全体として左右方向に所定寸法長く、前後方向に所定寸法短かい断面長方形状をなし、上下方向に所定の高さを有する角筒状のものとなっている。
【００４１】
そして、この下部側本体ケーシング１Ａには必要な個所に必要な加工が施されて、例えば後壁面側の略全体には第１の空気吸込用開口部１ａが、また左右両壁面側の後壁面寄り略２／３部分には第２，第３の空気吸込用開口部１ｂ，１ｃが、さらに前壁面側の一部にはメンテナンス用開口部１ｄがそれぞれ設けられている。上記第１，第２，第３の空気吸込用開口部１ａ，１ｂ，１ｃは、それら全体として、後述する熱交換器２の水平断面形状に対応して水平断面形状がコの字形（以下、単に断面コの字形という）をなすものとなっている。
【００４２】
そして、同全体として断面コの字形をなす後壁面側第１の空気吸込用開口部１ａおよび左右両壁面側第２，第３の空気吸込用開口部１ｂ，１ｃには、例えば図示のように、上記下部側本体ケーシング１Ａ内において、その底板部上から上記上方側ファンケーシング１Ｂとの境界線部分まで延びて設置された水平断面形状がコの字形（以下、単に断面コの字形という）の熱交換器２の主たる熱交換器部である後壁面側第１，従たる熱交換器部である左右両壁面側第２，第３の各熱交換器部２ａ，２ｂ，２ｃの通風性のある熱交換面が臨まされている。
【００４３】
この熱交換器２は、上記各熱交換器部２ａ，２ｂ，２ｃが相互に一体の例えばプレートフィン型の空気熱交換器により構成されており、上記左側壁面側第３の空気吸込用開口部１ｃに対応する左側壁面側第３の熱交換器部２ｃと後壁面側第１の空気吸込用開口部１ａに対応する後壁面側第１の熱交換器部２ａとは上記下部側本体ケーシング１Ａのコーナ角（９０°）に対応したコーナ角θ1＝略９０°の角度で曲成されているが、他方第２の空気吸込用開口部１ｂに対応する第３の熱交換器部２ｂは同後壁面側第１の熱交換器部２ａに対してコーナ角θ2＝１００°〜１１０°の大きな角度で外側に広げて曲成されている。これにより、当該室外機ユニット１の右壁面側を建物の壁面側に接して据え付けたり、２台隣接して設置したりしたような時にも、それら相互の間に有効な空気吸込スペースを取ることができるようにしている。
【００４４】
一方、上記前壁面側メンテナンス用の開口部１ｄには、必要な開閉扉７ａが設けられ、同前壁面部は、全く空気吸込用の開口部がない盲壁（閉壁）構造となっている。
【００４５】
また、上記下部側本体ケーシング１Ａ内の上記底板部の前面部側上方には、例えば図示のように、圧縮機やアキュムレータ等の各種機器３ａ〜３ｃが設置される機器室およびサービススペース６が設けられており、同機器室およびサービススペース６の風が通りやすく冷却効果の高い上方部には、その前壁面側左右方向右寄りに位置して所定幅左右方向に延びる所定奥行幅の制御ボックス７が、上記メンテナンス用の開口部１ｄを介して前方側外部から点検操作しやすいようにスペースファクター良く設置されている。
【００４６】
そして、以上のようにして後壁面側（長辺部側）、左右両壁面側（短辺部側）の３面に亘って同じく長辺部、短辺部を有する断面コの字形の熱交換器２が設けられ、同断面コの字形の熱交換器２（長辺部２ａ，短辺部２ｂ，短辺部２ｃ）および各種機器３ａ〜３ｃが設けられた上記下部側本体ケーシング１Ａの上部には、さらに図１、図３、図４および図５のような状態で、高さは低いが、やはり断面長形状の角筒状の上部側ファンケーシング１Ｂが、例えば嵌合等の方法により一体に設けられており、同ファンケーシング１Ｂ内中央のファン設置部には、所定のファン支持手段を介して例えばプロペラファン等の軸流型の送風ファン４が図示の如く上下方向に延びて設置されている。
【００４７】
なお、図中の符号４ａは当該送風ファン４のハブ、４ｂは同送風ファン４の複数枚の羽根（翼）、９は同送風ファン４のファンモータ、９ａは同ファンモータ９の送風ファン回転駆動軸を示している。
【００４８】
そして、上記のように、熱交換器２および各種機器３ａ〜３ｃが設置される断面長方形状の下部側本体ケーシング１Ａ部分と送風ファン４が設置される上記上部側ファンケーシング１Ｂ部分とは、略上記ファンモータ９部分を基準として下方と上方に区分されており、上記上部側ファンケーシング１Ｂも、上述のごとく、その下部から上方に向けて、その水平断面形状が同様の長方形状のものとなっている。そして、その上部部分の左右方向中央位置内側には略円筒形状のベルマウス８が、例えば図１および図３に示すように、前後方向の幅一ぱいに設けられている。そして、同状態において、上記送風ファン４は、当該ベルマウス８の内側に、その羽根車の羽根４ｂ，４ｂ・・・の上部側部分を対応させて設けられ、下部側はベルマウス８の空気吸込口８ａよりも下方に所定寸法以上露出している。
【００４９】
そして、それによって、上記ベルマウス８を有する上記上部側ファンケーシング１Ｂの外径を、上記下部側本体ケーシング１Ａの短辺部の幅と同等の径まで拡大することによって、上記設置される送風ファン４の羽根車の外径を可及的に大きくすることにより、上記送風ファン４の羽根車が、上記断面コの字形の熱交換器２の上端面よりも上方に位置し、例えば図３に示すように、上記断面コの字形の熱交換器２の上端部まで上下方向に重なったクロスオーバー状態で設置されている。そして、それによって、可及的に大きな径の羽根車を採用できるようにして十分に送風性能のアップを実現しながらも、なお有効に室外機ユニット１本体の小型、コンパクト化が図られるようにしている。
【００５０】
また、その場合において、上記ベルマウス８は、その空気吹出口８ｂ側および空気吸込口８ａ側共に所定の曲率半径の断面形状となっていて、当該ベルマウス８部分への最適な空気の進入角とベルマウス８部分からの最適な空気の導出角とが実現されている。
【００５１】
しかし、該空気調和機用室外機ユニット１では、そのように構成した結果、図１および図３からも明らかなように、上記送風ファン４の外周部および上流側に、上記上部側ファンケーシング１Ｂの前壁面および後壁面が近接して配置されることになり、しかも、上記前壁面は空気吸込用の開口がない盲壁（閉壁）構造に形成されていることから、上記送風ファン４の上流側には、その後壁面側と左右両壁面側の３面にしか空気の吸込み口が無い状態となる。
【００５２】
したがって、図３に示すように、上記送風ファン４の回転方向Ｒの前方側に空気吸込み用開口部１ｂ、後方側に閉壁面（前面壁：前板）がある場合、送風ファン４上流の空気吸込み面有／無の境界となる筺体コーナー部Ａ，Ｃにおいて、羽根４ｂ，４ｂ・・・が通過した直後に強い負圧が発生して周囲に気流が発生し、上記送風ファン４の回転方向Ｒの前方側から後方側に向けて、熱交換器２の右壁面側熱交換部２ｂから吸込まれた気流が流れてくる（前述の図１２の矢線部を参照）。この気流は、上記強い負圧によって縦渦上の強い旋回流となり、ファンケーシング１Ｂの側壁面の内の空気吸込み口がない前壁面に一部が衝突し、その後、ベルマウス８を介して上記送風ファン４の羽根４ｂ，４ｂ・・・間に吸込まれる。
【００５３】
そして、この強い旋回流と上記送風ファン４の羽根４ｂ，４ｂ・・・の翼面が衝突して、同送風ファン４の羽根枚数と回転数の積を基本周波数とする離散周波数音、いわゆるＮＺ音が増大し、聴感上不快感をもたらすという問題が生じる。
【００５４】
そこで、このような問題に対し、従来は、すでに述べたように、例えば上吹きしタイプの空調用室外機の筺体の上方側コーナー部にできる空隙部に対して上下方向に長い三角柱状のコーナーガイドを設置し、それによって静音化を図る方法が採用されていた。
【００５５】
しかし、このコーナーガイドは、筺体下部から上部方向に上昇し負圧部に向かう気流が、当該コーナー部の空隙部分で停滞するのを防止し、当該上昇気流に対して筺体面に沿った旋回流れ与えることで、ファン吸込み時における周方向の偏流を改善させることを狙ったものにすぎない。したがって、ファン吸込み面よりも上方側（天板との間）の空間に入り込み、送風ファン４の羽根４ｂ，４ｂ・・・と強い干渉を起こす上述のような現象を抑制することができず、騒音のオーバーオールでの急上昇は抑制できても、羽根１回転毎に旋回流とファン翼面とが衝突して発生する離散周波数音を抑制することは難しく、聴感上の不快感をなくすことが困難であった。
【００５６】
そこで、この最良の実施の形態では、そのような問題を解決するために、例えば図１〜図５に詳細に示すように、上記角筒状の室外機ケーシング（ファンケーシング１Ｂおよび本体ケーシング１Ａ）の４箇所のコーナー部Ａ〜Ｄ（図３を参照）のうち、送風ファン４の回転方向Ｒに対して、前方側が相対的に吸込みやすく、後方側が相対的に吸込みにくい箇所Ａ，Ｃに、例えば上記熱交換器２の上端部からベルマウス８の空気吸込口８ａ側端部に向かって略水平に延びた整流ガイド板１０Ａ，１０Ｃを設置し、上記熱交換器２（２ｂ部）を通過し、送風ファン４に対向して縦渦状となって当該送風ファン４に吸込まれる強い縦方向の旋回気流を、同整流ガイド板１０Ａ，１０Ｃに沿って滑らかに流すようにしている。
【００５７】
そして、それによって、送風ファン４の羽根４ｂ，４ｂ・・・の翼面、特にベルマウス８で囲われていない上流側の羽根の翼面と乱れた気流との衝突が抑制し、送風ファン４の回転数と羽根枚数の積を基本周波数とする強い離散周波数音（ＮＺ音）を効果的に低減し、従来のような聴感上の不快感を可及的に低減することができるようにしている。
【００５８】
この場合、上記整流ガイド板１０Ａ，１０Ｃは、例えば必要な大きさと形状の専用の板材を室外機ケーシング１Ｂ，１Ａのフレーム部や上述の熱交換器２、また前面壁（前板）、左右両側面壁（側板）等に固定するか、またはベルマウス８の一部分を水平方向に延長することにより、比較的容易に形成することができる。
【００５９】
例えば熱交換器２の上端部にあって、上記熱交換器２と室外機ケーシング１Ａ，１Ｂの側壁との間をシールする、図示シールプレート１２の一部を利用するようにした場合、別部材を準備する場合に比べて、加工も簡単で、取付けも容易になる。
【００６０】
図１〜図５の構成では、上記断面コの字形の熱交換器２の上端面部の全体に亘って設けられるシールプレート（熱交換器２と熱交換器２上の風周り空間との間をシールする板材）１２に対して一端ａ側を固定する一方、他端ｂ側を折り曲げてベルマウス８の空気吸込口８ａ側に向かうようにしている。
【００６１】
この場合、３次元曲面にすると、より形状の最適化が可能であるが、製造コストが上がるため、平板を使って折り曲げ加工した方が簡便である。
【００６２】
なお、以上のような断面コの字形の熱交換器２の場合、今例えば上記図３において、熱交換器２が存在しない上記前壁面を正面とすると、前面壁に向かって右側の上述したコーナー部Ａが最も効果的で、その次は左側奥のコーナー部Ｃである。
【００６３】
それ以外のコーナー部Ｂ，Ｄは強い縦渦が発生しないので、整流ガイド板は不要であり、設置しても効果がなくコスト上昇となるだけである。
【００６４】
一方、これに対して送風ファン４の回転方向Ｒが上記図３と逆になった場合には、上記同様の断面コの字形の熱交換器２であれば、上記前面壁に向かって左側のコーナー部Ｄが最も効果的で、次は右側奥のコーナー部Ｂとなる。
【００６５】
（最良の実施の形態２）
次に図６〜図８は、本願発明の最良の実施の形態２に係る空気調和機用室外機ユニットの構成を示している。
【００６６】
この実施の形態の空気調和機用室外機ユニットは、上記図１〜図５に示した最良の実施の形態１に係る室外機ユニットの構成において、上述のような縦渦が発生するコーナー部Ａ，Ｃ又はＢ，Ｄだけでなく、室外機ケーシング内各コーナー部Ａ〜Ｄ面の全体に一枚の整流ガイド板１０を設けたことを特徴とするものである。
【００６７】
このような構成によっても、上述の整流が必要なコーナー部Ａ，Ｃ又はＢ，Ｄ各々の整流が可能となり、上記最良の実施の形態１の場合と全く同様の作用効果を得ることができる。
【００６８】
すなわち、上記縦渦の整流ガイド作用を果たす整流ガイドは、上述のように必要なコーナー部に個別に設けるようにすると、加工工数とともに取付工数が増え、取付けにも手間がかかる。
【００６９】
そこで、同整流ガイドを、図６のように室外機ケーシング１Ａ，１Ｂ内の例えばベルマウス８等送風ファン４の空気吸込口の開口面周囲の全体を仕切ることができる一枚のプレート１０により形成し、同プレート１０により、上述した強い縦旋回流が発生する室外機ケーシング１Ａ，１Ｂ内のコーナー部Ａ，Ｃ又はＤ，Ｂにおける、熱交換器２からの吸込み気流を同空気吸込口方向に滑らかに導く一方、その外周囲部分で、熱交換器２の上端部において熱交換器２と室外機ケーシング１Ａ，１Ｂの側壁との間をシールする上述のシールプレート１２を兼ねさせるようにする。
【００７０】
このようにすると、ベルマウス８等送風ファン４の空気吸込口８ａ周囲全域の気流が、よりスムーズに送風ファン４内に吸込まれるようになる一方、従来のような熱交換器専用のシールプレート１２も不要になる。
【００７１】
なお、この場合、上記各コーナー部Ａ〜Ｄの全体を閉塞する図６の整流ガイド板１０は、例えば図７に示すように熱交換器２の上端面に設けられる所定寸法以上の高さのある気流漏れ防止用のシール部材１３を介して、上記ベルマウス８の空気吸込口８ａ高さに水平に設置するようにしてもよいし、また例えば図８に示すように、熱交換器２の上端面からベルマウス８の空気吸込口８ａにかけてテーパー面となる漏斗形状に設置するようにしてもよい。
【図面の簡単な説明】
【００７２】
【図１】本願発明の最良の実施の形態１に係る空気調和機用室外機ユニットの上下方向全体の構成を示す斜視図である。
【図２】同室外機ユニットの上部側ファンケーシング部を取り外した状態の斜視図である。
【図３】同室外機ユニットの平面図である。
【図４】同室外機ユニットの一部切欠背面図である。
【図５】同室外機ユニットの一部切欠正面図である。
【図６】本願発明の最良の実施の形態２に係る空気調和機用室外機ユニットの上部側ファンケーシング部を取り外した状態の平面図である。
【図７】同室外機ユニットの一部切欠正面図である。
【図８】同室外機ユニットの一部切欠背面図である。
【図９】従来の空気調和機用室外機ユニットの上下方向全体の構成を示す斜視図である。
【図１０】同室外機ユニットの問題点を示す正面図である。
【図１１】同室外機ユニットの右側面図である。
【図１２】同室外機ユニットの問題点を示す平面図である。
【符号の説明】
【００７３】
１は室外機ユニット、１Ａは下部側本体ケーシング、１Ｂは上部側ファンケーシング、１ａは後壁面側空気吸込用開口部、１ｂは右壁面側空気吸込用開口部、１ｃは左壁面側空気吸込用開口部、２は断面コの字形の熱交換器、２ａは後壁面側熱交換器部、２ｂは右壁面側熱交換器部、２ｃは左壁面側熱交換器部、４は送風ファン、４ａはハブ、４ｂは羽根、８はベルマウス、８ａは空気吸込口、８ｂは空気吹出口、１０Ａ，１０Ｃ，１０は整流ガイド板、１２は熱交換器シールプレート、１３は熱交換器シール部材である。
【図１】
2006038312.tif 000003
【図２】
2006038312.tif 000004
【図３】
2006038312.tif 000005
【図４】
2006038312.tif 000006
【図５】
2006038312.tif 000007
【図６】
2006038312.tif 000008
【図７】
2006038312.tif 000009
【図８】
2006038312.tif 000010
【図９】
2006038312.tif 000011
【図１０】
2006038312.tif 000012
【図１１】
2006038312.tif 000013
【図１２】
2006038312.tif 000014